(57)【要約】人体心肺蘇生法（ＣＰＲ）を練習するための、安価な家庭用訓練補助具（１００）が、テディベアまたは他のぬいぐるみ玩具のような非人型ハウジング内に収容される。自宅で、人目につきやすい場所に置く場合、使用者にＣＰＲのスキルを促し、使用者がこの訓練補助具（１００）を用いて練習するように働きかける。非人型ハウジング（１１０）は、この訓練補助具（１００）を、神経質な親または育児提供者に対してあまり怖がらせないようにする。内部機構は、擬似気道、圧迫機構、圧迫フィードバック機構、メトロノーム、擬似解剖学的目印を備える胸部プレート（１３０）および背部プレート（１７０）、ならびに／または、適切な手／指の配置を示すための外側の目印（１４０）から構成される。これらの２つのプレートは、人間の胸部の抵抗をシミュレートするために、その間に抵抗デバイスを備える１つ以上の伸縮自在な支柱により接続される。
2007505360.tif 000002
【特許請求の範囲】
【請求項１】
非人型ハウジングに収容された、人体心肺蘇生法（ＣＰＲ）を訓練またはシミュレートするための装置であって、該装置は、以下：
第１のプレート；
該第１のプレートに固定された少なくとも１つの直立支柱；
第２のプレート；
該第２のプレートに固定され、かつ胸部圧迫をシミュレートするための往復運動を提供するために、伸縮自在に直立支柱を係合するように適合された、少なくとも１つの下向きに延びる支柱；および
該第１のプレートと第２のプレートとの間に係合され、胸部を圧迫する際に経験する抵抗をシミュレートするように適合された、抵抗デバイス
を備える、装置。
【請求項２】
１つ以上の支柱が、中空であり、かつ、該支柱の長手軸と本質的に平行な方向に力を適用することを必要とするために、十分に厳しい許容限度を有する伸縮自在様係合のために適合されており、それにより、平行でない力が前記第２のプレートの上面に適用される場合に、該支柱が結合する、請求項１に記載の装置。
【請求項３】
前記抵抗デバイスが、スプリングであり、そして、１つ以上の支柱内に配置される、請求項２に記載の装置。
【請求項４】
前記抵抗デバイスが、不連続気泡発泡体スプリングである、請求項２に記載の装置。
【請求項５】
１つ以上の支柱が、該支柱の回転を妨げるような形状の、四角形または矩形である、請求項２に記載の装置。
【請求項６】
前記支柱の遠位端が、フレア状である、請求項５に記載の装置。
【請求項７】
前記第１のプレートおよび第２のプレートが、ほぼ矩形である、請求項１に記載の装置。
【請求項８】
前記第１のプレートおよび第２のプレートが、適切な手／指の配置のために、胸骨柄切痕、左右の鎖骨、鎖骨間切痕、胸骨溝もしくは正中線、左右の乳首、または剣状突起部および切痕を表す表面のような、解剖学的目印を含む、請求項７に記載の装置。
【請求項９】
前記第２のプレートが、ＣＰＲを適用するために人間の手または指を置く場所を位置付けするために、胸部と似るように適合された上面に、解剖学的目印を有する、請求項１に記載の装置。
【請求項１０】
前記非人型ハウジング上の目印が、前記第２のプレートを適切に圧迫するための位置に印を付け、そして、該目印が、ＣＰＲの間に胸部を圧迫するための該適切な位置に対応する、請求項１に記載の装置。
【請求項１１】
前記第１のプレートに固定されたほぼ中心にある直立支柱、および前記第２のプレートに固定され、そして該ほぼ中心にある直立支柱に対向し、かつ該ほぼ中心にある直立支柱と係合する、ほぼ中心にある下向きに延びる支柱をさらに備え、前記スプリングデバイスが、該ほぼ中心にある直立支柱の中に受容される、請求項１に記載の装置。
【請求項１２】
前記非人型ハウジングが、動物のぬいぐるみの玩具に似ている、請求項１に記載の装置。
【請求項１３】
前記ハウジングが、テディベアのように見える、請求項１２に記載の装置。
【請求項１４】
視覚および／または聴覚性のメトロノームをさらに備える、請求項１に記載の装置。
【請求項１５】
前記第１のプレートおよび第２のプレートを、互いにより接近するように押すために使用される力の量を測定するための、圧迫力センサ、ならびに、使用者に対する該適用された力のインジケーターをさらに備える、請求項１に記載の装置。
【請求項１６】
前記第１のプレートおよび第２のプレートを互いにより接近するように押すときに移動する距離を測定するための、圧迫深さセンサ、ならびに、この距離が、適切なＣＰＲのために適切な距離であるか、深過ぎるか、または短過ぎるかのインジケーターをさらに備える、請求項１に記載の装置。
【請求項１７】
前記インジケーターが、ぬいぐるみの玩具の首に位置付けされ、そして、ブローチまたはボウタイのように見えるように様式化されている、請求項１６に記載の装置。
【請求項１８】
ＣＰＲサイクルにおいて呼吸が与えられるべきときを示すように適合された、救助呼吸インジケーターをさらに備える、請求項１に記載の装置。
【請求項１９】
音声プロンプトが、ＣＰＲの工程の催促を提供する、請求項１に記載の装置。
【請求項２０】
音声プロンプトが、実際のＣＰＲの動作の際にフィードバックを提供する、請求項１に記載の装置。
【請求項２１】
請求項１に記載の装置であって、以下：
人間の肺をシミュレートするように適合された可撓性コンテナ；および
該可撓性コンテナとの流体連絡を提供する、空気チューブ
をさらに備える、装置。
【請求項２２】
請求項２１に記載の装置であって、以下：
前記第１のプレートおよび第２のプレートとほぼ整列された第３のプレートであって、該第１のプレートが、該第２のプレートと第３のプレートとの間にある、プレート；
該第３のプレートに固定された、１つ以上の支柱；
該第１のプレートの下側に固定され、かつ、往復運動を提供するために、該第３のプレートに固定されたそれぞれの支柱と係合するように適合された、１つ以上の対応する下向きに延びる支柱
をさらに備え、ここで、前記可撓性コンテナが、該第１のプレートと第３のプレートとの間にある、装置。
【請求項２３】
人工肺蘇生術をシミュレートするための装置をさらに備える、請求項１に記載のＣＰＲ訓練用デバイス。
【請求項２４】
前記人工肺蘇生術をシミュレートするための装置が、人間の肺の容量をシミュレートするような大きさの可撓性コンテナを備え、該可撓性コンテナは、前記ハウジングの内側部分に受容され、そして、空気チューブの一端が、該可撓性コンテナに接続される一方で、該空気チューブのもう一端は、環境に対して開いており、空気が該外部環境から該可撓性コンテナ内に流れることを可能にする、請求項２３に記載のＣＰＲ訓練用デバイス。
【請求項２５】
前記人工肺蘇生術をシミュレートするための装置が、非人型ハウジングの外側に位置付けされ、そして、擬似肺を覆う胴衣、該擬似肺に接続された空気チューブ、該空気チューブに接続されたフェースマスク、および該フェースマスク内の開口部を備え、該フェースマスク内の開口部において、空気が該空気チューブ内へと吹き込まれ得、その後、該擬似肺が該胴衣を上昇させる、請求項２３に記載のＣＰＲ訓練用デバイス。
【請求項２６】
非人型ハウジング内に収容された、人体心肺蘇生法（ＣＰＲ）を練習するための装置であって、該装置は、胸部プレートおよび背部プレート、該胸部プレートおよび背部プレートに取付けられた伸縮自在な支柱、該プレート間にある抵抗デバイス、圧迫深さセンサ、該ＣＰＲ訓練補助具上および使用者の視線上に位置付けされた圧迫深さインジケーター、圧迫ペーシングインジケーター、ならびに、手／指の配置のための適切な位置を示すための非人型ハウジング上の目印を備える、装置。
【請求項２７】
擬似気道をさらに備える、請求項２６に記載の装置。
【請求項２８】
前記気道が、呼吸が与えられたときの、人間の肺の抵抗および胸部の上昇をシミュレートする、請求項２７に記載の装置。
【請求項２９】
内部空気チューブに取り付ける外部フェースマスクをさらに備える、請求項２８に記載の装置であって、該内部空気チューブは、内部にある擬似肺に取付けられ、該外部フェースマスクは、ＣＰＲの間に与えられる呼吸の練習を容易にする、装置。
【請求項３０】
前記フェースマスクが、様式化された人面である、請求項２９に記載の装置。
【請求項３１】
外部空気チューブに取り付ける外部フェースマスクをさらに備える、請求項２７に記載の装置であって、該外部空気チューブは、前記非人型ハウジングの外側にある擬似肺に取付けられる、装置。
【請求項３２】
前記フェースマスクは、様式化された人面である、請求項３１に記載の装置。
【請求項３３】
聴覚性音声プロンプトをさらに備える、請求項２６に記載の装置。
【請求項３４】
前記音声プロンプトが、ＣＰＲの工程を使用者に促す、請求項３３に記載の装置。
【請求項３５】
前記音声プロンプトが、ＣＰＲスキルの適切および不適切な動作を示す、請求項３３に記載の装置。
【請求項３６】
心肺蘇生法（ＣＰＲ）訓練用デバイスであって、該デバイスは、以下：
ベース；
該ベースに固定された、複数の直立支柱；
該ベースから間隔を空けられた、胸部プレート；
該胸部プレートの下側に固定された、複数の下向きに延びる支柱
を備え、
該下向きに延びる支柱は、該直立支柱と係合され、かつ往復運動に適合され；そして
該下向きに延びる支柱および該直立支柱の伸縮自在な性質が、脚部の長手軸と本質的に平行な方向に力を適用することを必要とするために、十分に厳しい許容限度を有し、それにより、平行でない力が第２のプレートの上面に適用されたときに、該脚部が結合する、デバイス。
【請求項３７】
４つの直立支柱および４つの下向きに延びる支柱が前記基部の各隅に１つずつ存在する、請求項３６に記載のＣＰＲ訓練用デバイス。
【請求項３８】
発泡体スプリングが、前記基部と胸部プレートとを隔て、該胸部プレートが該基部に向かって下向きに圧迫されるときに、圧迫抵抗を提供する、請求項３７に記載のＣＰＲ訓練用デバイス。
【請求項３９】
前記基部に接続されたジンジャーブレッドマンの形状を有する、平面ボディをさらに備える、請求項３６に記載のＣＰＲ訓練用デバイス。
【請求項４０】
前記基部が４つのエッジを有し、前記ジンジャーブレッドマンの、頭部が一端にヒンジ接続され、右腕が一端にヒンジ接続され、左腕が一端に接続され、そして、足を有する該ジンジャーブレッドマンの胴部が一端に接続される、請求項３９に記載のＣＰＲ訓練用デバイス。
【請求項４１】
請求項４０に記載のＣＰＲ訓練用デバイスであって、該デバイスが、直方体の一般的な形状を想定するように、前記頭部、腕、および胴部が、前記プレートに向けて折り畳まれる、デバイス。
【請求項４２】
擬似気道をさらに備える、請求項３６に記載のＣＰＲ訓練用デバイス。
【請求項４３】
非人型ハウジング内に収容される心肺蘇生法（ＣＰＲ）訓練補助具を使用して、ＣＰＲにおいて個人を訓練するための方法であって、該方法において、生徒は、上側胸部プレートおよび背部プレートを含み、該プレート間に抵抗機構を備える擬似胸部に対する圧迫を練習し、圧迫に対する人間の胸部の抵抗をシミュレートし得、該方法は、以下：
擬似胸部を圧迫する工程；および
胸部圧迫の間に、人間の胸部の抵抗と似た抵抗を感じる工程
を包含する、方法。
【請求項４４】
胸部圧迫のために、該胸部上の適切な手の配置を決定するための目印を使用する工程をさらに包含する、請求項４３に記載の方法。
【請求項４５】
圧迫力または圧迫の深さの適否に対する、即時のフィードバックを見る工程をさらに包含する、請求項４３に記載の方法。
【請求項４６】
正確に圧迫のペーシングを空ける信号を聞く工程、および／または見る工程をさらに包含する、請求項４３に記載の方法。
【請求項４７】
請求項４３に記載の方法であって、該方法は、空気チューブに接続された取り外し可能なフェースマスクを備える擬似気道を使用して、救助呼吸を練習する工程をさらに包含し、該空気チューブは、人間の肺の抵抗をシミュレートする擬似肺につながっている、方法。
【請求項４８】
前記ＣＰＲ訓練補助具が、ＣＰＲ指導ビデオと組み合わせて使用される、請求項４３に記載の方法。
【請求項４９】
音声プロンプトが、ＣＰＲの工程を使用者に促し、該ＣＰＲのプロセス全体を通じて、該使用者を案内する、請求項４３に記載の方法。
【請求項５０】
前記ＣＰＲ訓練補助具が、腹部への圧迫に適切な手の配置、および背部叩打の適切な配置を決定するための解剖学的目印を備える、請求項４３に記載の方法であって、該方法は、以下：
腹部への圧迫に適切な手の位置を決定するために、胸部の解剖学的目印を位置確認する工程；
背部叩打の適切な配置のために、該背部の解剖学的目印を位置確認する工程；および
背部叩打または腹部への圧迫により、気道から異物を取り除く工程
を包含する、方法。
【発明の詳細な説明】
【技術分野】
【０００１】
（関連出願に対する相互参照）
本発明者らによって２００３年９月１２日に出願された、米国仮特許出願番号６０／５０２，７７３（参考として援用される）に対する優先権を主張する。
【０００２】
（技術分野）
本発明は、心肺蘇生法（ＣＰＲ）に関し、具体的には、ＣＰＲの訓練およびシミュレーションに関し、そしてより具体的には、ＣＰＲのスキルを練習および維持するための安価な自宅用デバイスに関する。
【背景技術】
【０００３】
（背景技術）
種々の形態の蘇生スキルが、何世紀にもわたって実施されてきたが、１９５０年代末期までは、一般に心肺蘇生法（ＣＰＲ）と呼ばれる概念は発展しなかった。１９５８年に、呼吸停止した犠牲者を蘇生するためのプロセスが、Ｄｒ．Ｓａｆａｒ、Ｄｒ．Ｅｌａｍおよび共同研究者による文献において報告された。１９６０年には、Ｄｒ．Ｋｏｕｗｅｎｈｏｖｅｎが、心停止した犠牲者の閉胸圧迫のための手順を報告した。１９６０年代の何気ない雑談から、Ｄｒ．ＳａｆａｒおよびＤｒ．Ｋｏｕｗｅｎｈｏｖｅｎは、彼らの２つの手順を組合せて、基本的なＣＰＲとして現在知られているものにすることの価値を見出した。１９７４年に、心肺蘇生法および緊急時の心臓ケアのための規範は、Ｊｏｕｒｎａｌ  ｏｆ  ｔｈｅ  Ａｍｅｒｉｃａｎ  Ｍｅｄｉｃａｌ  Ａｓｓｏｃｉａｔｉｏｎ（ＪＡＭＡ）において最初に公表された。現在広く知られるＣＰＲスキルの普及は、アメリカ心臓協会、米国赤十字などによって世界中で奨励されたが、心停止からの回復率は、米国において推定５％に留まっている。
【０００４】
この生存率を有意に高めるための唯一の方法は、一般大衆がＣＰＲを迅速かつ効果的に行なうことができるようになることである。この問題は、人々がＣＰＲのやり方を記憶し得ないことである。歴史的には、ＣＰＲの学習者は、その学習体験の直後にはそのスキルの９６％を、１ヶ月の終わりには３６％を、そして６ヶ月後には６．８％を保持することが示されている。ＣＰＲのスキルにおいて、専門家ではない大衆を３０年間訓練した後、ＣＰＲスキルの保持および適切な適用に関して、深刻な問題が残ったままである。これは、主に、ＣＰＲコースを取った後のＣＰＲスキルの練習が欠けていることに起因する。
【０００５】
何年にもわたって、医療スキルを教えるためにシミュレーターが使用されている。１７世紀に、パリにおいて、専門家ではない人員が、産科用マニキンで助産術のスキルを訓練された。今日の最先端の訓練用マニキンは、高価であり、見た目が悪い。家に持ち帰ることができるものは、学んだスキル、そのスキルを練習する必要性を定期的に思い出すために外に出したままにされるのではなく、クローゼットの中にしまい込まれる。既存のデバイスは、経時的なＣＰＲスキルの有意な衰えの問題に完全には対処していない。なぜならば、既存のデバイスは、個人宅で目に付く場所に置いたままにして、そのスキルおよび練習する必要性を思い出させるために十分美的に満足できるようには、設計されていないからである。いくつかの特許が、安価であり、それゆえ、個人の学習者が購入し家に持ち帰ってＣＰＲスキルを練習するために使用するのに適しているように、特別に設計されたマニキンを記載しているが、平均的な消費者に、目に付く場所に置いたままにすることを奨励するために必要な美的な質を有するものはない。
【０００６】
初期の訓練用デバイスが、特許文献１（１９５８年３月１２日）に開示されており、折り畳み式の腕および頭部を有する訓練用デバイスを示している。このデバイスは、人工呼吸のみを練習するためのものであり、そして、擬似肩領域を支える、２つの垂直方向のスプリングを有する。
【０００７】
後の特許は、ＣＰＲを教え、ＣＰＲを練習するために使用され得る安価なデバイスを教示するが、ほとんど全てが人型の形状をしており、美的に満足できるように設計されていない。購入されるかまたは受け取られると、これらのデバイスは、学んだスキルおよびそのスキルを練習する必要性を思い出させるものとして、家の中で外に出されることなく、クローゼットまたは箪笥の中にしまわれて忘れられる可能性が高い。Ｃｅｃｉｌ  Ｌ．Ｒｉｃｅに対して発行された特許文献２（１９８６年１０月２８日）は、この知見の一例である。この要約書は、このデバイスが、ＣＰＲの「精神的記憶」の局面の再検討を可能にする、「単純かつ安価な、ＣＰＲの学習および練習補助具」であることが意図されると述べている。このデバイスは、気道手段を有するが、実際に犠牲者に対して実施されるときの、胸部の上昇をシミュレートせず、指または手が、乳児、小児、または成人の犠牲者に適切に置かれていることを確実にするための解剖学的目印も他の手段も提供せず、そして、適切な圧迫力または適切な圧迫ペーシングに対するフィードバックがない。この圧迫機構は、単に、立方体のブロックに取り付けられた発泡体の立方体片である。さらに、このデバイスは、使用者に対する美的な魅力に欠ける。
【０００８】
Ｂｒａｕｌｔらによる、特許文献３（１９９１年１月１５日）、特許文献４（１９９３年１０月５日）、および特許文献５（１９９４年２月１５日）は、比較的複雑でなく、安価なデバイスを示すが、これらは、美的な魅力に欠ける。Ｂｒａｕｌｔは、マニキンが十分に安価であれば、学習者が入手して、自宅でそのスキルを練習し得ると記しているが、これらのデバイスはまた、教室環境において使用することが意図される。これらのマニキンの背後にある主要な概念は、ＣＰＲの指導者にとって、講習内の各個人に１体提供するのに十分に安く、そして、指導者が、全講習に、手に持つか、またはショルダーキャリングケースでマニキンを運び得るのに十分に軽いマニキンを提供することである。このマニキンは、明らかに人型の形状であり、そして、圧迫機構は、圧迫力の下で、変形およびリフォームするように適合された、弾力性のある中空ふいごである。人工肺は、胸部の上昇を達成しない。
【０００９】
Ｇａｒｔｈらによる、特許文献６（１９９３年７月２９日）、および特許文献７（１９９３年１０月２６日）は、予め決められた折り目を有する折り畳み可能な段ボールでできた、胸部の抵抗および擬似気道をシミュレートするために、胸部内にスプリングを含む、ＣＰＲを練習するためのダミーを開示する。このダミーの最も明らかな問題は、使用者が、このデバイスを使用可能な形態に折り畳む際に経験する複雑さである。
【００１０】
特許文献８（１９９４年５月１７日）および特許文献９（１９９６年１２月３日）は、共に、Ｓｔｅｐｈｅｎ  Ｆｌｙｎｎにより発明された、同じデバイスを示す。記載されるマニキンは、ＣＰＲを練習するためのものであり、過度に複雑でもなく、過度に単純でもないことが意図されている。このデバイスは、人間の頭部および胴体を有し、そして、美的に満足できるものではない。
【００１１】
Ａｄａｍｓｏｎらに対して発行された特許文献１０（１９９５年６月）は、低コストで、リサイクル可能で、かつ耐久性のある、使い捨てのマニキンを教示する。このマニキンはまた、人型形状をとり、使用のために折り畳みおよび他の組み立てを必要とする。Ｅｇｅｌａｎｄｓｄａｌらに対して発行された特許文献１１（２００１年５月８日）は、現実的なシミュレーションを無視して経済的に製造され得る、ダミー設計物を開示する。このダミーはまた、人型形状をとり、胴体は、圧迫により変形可能な発泡体から作製される。
【００１２】
ＭｃＧｉｎｎｉｓに対して発行された特許文献１２（２００３年３月１１日）は、「一般的な家庭用物品」を使用して、完全な人間の胴体をシミュレートするための方法を開示する。この概念は、子供（しばしば、高価なマニキンを破壊し得る）に対して与えられるＣＰＲの講習において使用され得る、安価でかつ使い捨てのマニキンを作製することである。この概念の付加的な特徴は、子供が、「視覚的な観察を通じて、またはマニキンを実際に組み立ておよび分解することを通じて、基本的な救助訓練技術の生理学を習得」し得ることである。ここでも、このデバイスは、人型形状をとることが意図され、そして、美的に満足できるようには作られていない。何年にもわたって、安価な自宅用ＣＰＲ訓練用マニキンにおいて多くの発展があったが、なお、革新および改善に対する必要性が存在する。使用者が実際に持ち上げ、そして、自宅で練習するように気を引くというかなり高いハードルを克服するものはない。
【特許文献１】英国特許第７９１７４１号明細書
【特許文献２】米国特許第４，６１９，６１７号明細書
【特許文献３】米国特許第４，９８４，９８７号明細書
【特許文献４】米国特許第５，２４９，９６８号明細書
【特許文献５】米国特許第５，２８６，２０６号明細書
【特許文献６】独国特許発明第４２０１７７７号明細書
【特許文献７】米国特許第５，２５６，０７０号明細書
【特許文献８】米国特許第５，３１２，２５９号明細書
【特許文献９】米国特許第５，５８０，２５５号明細書
【特許文献１０】米国特許第５，４２３，６８５号明細書
【特許文献１１】米国特許第６，２２７，８６４号明細書
【特許文献１２】米国特許第６，５３０，７８３号明細書
【発明の開示】
【課題を解決するための手段】
【００１３】
（発明の開示）
本発明は、学習者がＣＰＲの講習から持ち帰って、自宅でＣＰＲのスキルを練習するために使用し得る、家庭用訓練補助具を提供する。擬似気道、圧迫機構、およびＣＰＲの動作に即時のフィードバックを提供するための機構が、非人型ハウジング（例えば、テディベアまたは他の類似のぬいぐるみの動物）に挿入される。魅力的でないプラスチック製の人形とも他の原始的なデバイスとも異なり、この訓練補助具は、子供部屋で目立つ場所（例えば、揺り椅子または棚の上）に配置され得る。このデバイスは、親または育児提供者に、毎日、ＣＰＲ講習で学んだスキルを思い出させ、そして、このデバイスを持ち上げて、定期的にそのスキルを練習するように気を引く能力を有する。
【００１４】
このＣＰＲ訓練補助具は、空気が人間の肺に吹き込まれるときに見られる抵抗に匹敵する抵抗を提供し、そして、呼吸が与えられるときに胸部プレートを上昇させる、擬似気道を有する。この訓練補助具はまた、胸部プレート、背部プレート、および１つ以上の伸縮自在な支柱から構成される、圧迫機構を備える。これらの支柱は、支柱の内側のスプリングを通じて胸部プレートの圧迫に対する抵抗を提供するためのものであり、使用者が、胸部プレート上で不適切に手／指を配置した場合にこの機構が押し下げられるのを防ぐ。本発明は、適切な手／指の配置のための解剖学的目印を備える胸部プレート、および、気道の清浄を実施するための解剖学的目印を備える背部プレートを備える。本発明はさらに、ＣＰＲ訓練補助具に直接、そして、本発明が使用される間に、使用者の視線上に置かれる、圧迫の力および／または深さを検出するための圧迫フィードバック機構、および、このような力および／または深さのディスプレイを備える。本発明はまた、圧迫ペーシングインジケーターもしくはメトロノーム、圧迫カウンタ、および／または救助呼吸（ｒｅｓｃｕｅ  ｂｒｅａｔｈ）インジケーターを備え得る。ＣＰＲ訓練補助具は、好ましくは、非人型コンテナ（例えば、ぬいぐるみのテディベアまたはウサギ）内に収容される。他のハウジングとしては、ぬいぐるみのサルまたはイヌが挙げられるが、内部機構はまた、独立していても、跳ね上げ式の腕および足、ならびに跳ね上げ式の頭部が取付けられていてもよい。
【発明を実施するための最良の形態】
【００１５】
（発明を実施するための最良の形態）
（１．好ましい実施形態）
図１を参照すると、非人型ハウジング１１０内のＣＰＲ訓練補助具１００の一実施形態が、斜視図で示される。ＣＰＲ訓練補助具１００は、擬似気道、圧迫機構、およびコントローラーユニット、ならびに、ＣＰＲを学習および練習する間にＣＰＲの動作を指示し、ＣＰＲの動作に関するフィードバックを提供するためのディスプレイを備える。
【００１６】
この擬似気道は、開口部１２２で外気に対して開いている、取り外し可能なフェースマスク１２０からなり、そして、空気チューブコネクタ１２４内に挿入される、空気チューブ取付け具１２３を備える。空気チューブ１２６は、非人型ハウジング１１０の首を通して、空気チューブコネクタ１２４から通じており、そして、擬似肺（ｓｉｍｕｌａｔｅｄ  ｐｕｌｍｏｎａｒｙ）１２８に取り付けられている。擬似肺１２８は、可撓性コンテナまたはエアバッグであり得、使い捨て用であり得る。擬似肺１２８は、前側または上側胸部プレート１３０の上にあり、かつ、非人型ハウジング１１０の内側にある。擬似肺１２８は、人間の肺に収容される空気の量と同等の空気の量を保持するように、較正されている。擬似肺１２８の大きさ、従って、擬似肺１２８内に収容される空気の量は、乳児の肺、小児の肺、または成人の肺内の空気の量に近づけるために、変更され得る。
【００１７】
取り外し可能なフェースマスク１２０は、本発明に必須であると考えられてはいないが、救助呼吸の練習を、より快適で衛生的にするための、さらなる特徴であり得る。取り外し可能なフェースマスク１２０が使用されない場合、ＣＰＲの学習者は、空気チューブコネクタ１２４内に直接空気を吹き込む。取り外し可能なフェースマスク１２０は、空気チューブコネクタ１２４と接する、内部空気チューブ取付け具１２３を有する円錐形状である。フェースマスク１２０は、平らであり得るか、または人間の口および鼻を表すように様式化され得る。
【００１８】
圧迫機構は、前側または上側胸部プレート１３０、上側シリンダー１５０、下側シリンダー１６０、および後ろ側または下側背部プレート１７０から構成される。前側または上側胸部プレート１３０の前側は、練習されるＣＰＲの型（乳児、小児または成人）に依存して、使用者が手または指の適切な配置を訓練するための種々の解剖学的目印を含む。図１は、右鎖骨（ｃｌａｖｉｃａｌ）隆起１３２ａおよび右乳首隆起１３２ｂを示す。また、図１には、前側または上側胸部プレート１３０の遠位端に位置付けられた剣状（ｘｙｐｈｏｉｄ）突起部１３４が見える。これより前に記載された解剖学的目印に加えて、またはこれに代わって、外部目印１４０が、非人型ハウジング１１０の外側に配置されて、ＣＰＲの間に、胸部に手または指を置くための適切な位置を示し得る。
【００１９】
上側シリンダー１５０および下側シリンダー１６０は、安定した伸縮自在な支柱の配置を形成する。これらの支柱の伸縮性は、胸部プレート１３０が、誤った位置に圧迫されることを防ぐ。例えば、使用者が、乳首隆起間の代わりに左乳首隆起の上を押す場合、伸縮自在な支柱は、胸部プレート１３０が下に動くことを防ぐ。上側シリンダー１５０は、下側シリンダー１６０よりも大きな直径を有し、その結果、上側シリンダー１５０は、胸部圧迫の間に、下側シリンダー１６０を超えて下にスライドし得る。空気孔１５２ａ、１５２ｂ、１６２ａおよび１６２ｂは、それぞれ、上側シリンダー１５０および下側シリンダー１６０上に位置付けられ、圧迫機構が圧迫されるときに、上側シリンダー１５０および下側シリンダー１６０により形成される内部チャンバから空気を逃がす。上側シリンダー１５０および下側シリンダー１６０が、使用中に回転することを防ぐために、保持ネジ１５４が、上側シリンダー１５０を通過する。そして、保持ネジ１５４は、圧迫機構が圧迫されるときに、下側シリンダー１６０内に彫られた溝または整列ガイド１６４内を上下に動く。３つの電気接触１５６ａ、１５６ｂおよび１５６ｃが、上側シリンダー１５０の遠位端に位置決めされ、図２により詳細に記載される、圧迫深さセンサの一部を構成する。
【００２０】
後ろ側プレートまたは下側背部プレート１７０はまた、図３に記載される解剖学的目印を含む。背部プレート１７０に取り付けられるのは、本発明に対する動力、圧迫深さもしくは力の感知、ペーシング、プロンプト、およびＣＰＲ性能に対するフィードバック表示を制御するためのコントローラ１８０である。コントローラ１８０は、図２により詳細に記載される。コントローラ１８０の近位側から出るのは、ワイヤ１８２ａおよび１８２ｂである。これらのワイヤは、非人型ハウジング１１０の手にあるスイッチ８４に入る。このスイッチは、瞬間的スイッチであり得、このスイッチは、この手が圧迫される場合に作動され、２回目にこの手が圧迫される場合に停止される。本発明において、スイッチ８４は、このコントローラを起動して、乳児ＣＰＲのためのフィードバックおよびプロンプトを提供する。反対側の手の第２のスイッチは、このコントローラを起動して、小児ＣＰＲのためのフィードバックおよびプロンプトを提供する。スイッチ８４は、非人型ハウジング１１０の足部またはいずれかの他の位置にも位置し得る。コントローラ１８０はまた、ワイヤ１８６ａ、１８６ｂ、および１８６ｃを通じて発光ダイオード（ＬＥＤ）モジュール１９０を作動する。ＬＥＤモジュール１９０は、２つのＬＥＤ１８８ａおよび１８８ｂを備え、これらのＬＥＤは、圧迫機構が適切な深さに圧迫されているか否かを示す。各ＬＥＤ１８８ａおよび１８８ｂは、共通するグランドワイヤを共有し、このワイヤは、コントローラ１８０とつながる。ＬＥＤモジュール１９０は、非人型ハウジング１１０に保持ワッシャー１９２およびコッターピン１９４によって固定される。
【００２１】
図２は、図１に記載されるＣＰＲ訓練補助具（ｔｒａｉｎｉｎｇ  ａｉｄ）圧迫機構およびのコントローラ１８０の断面図である。図２と図１との間の類似の番号は、類似の要素を示す。上側シリンダー１５０および下側シリンダー１６０の内部には、胸部プレート（ｃｈｅｓｔ  ｐｌａｔｅ）１３０の圧迫に対する抵抗を提供するためのスプリング２１０がある。抵抗の量は、本発明を用いて練習されるＣＰＲ技術に依存して、乳児、小児、または成人の胸部について較正され得る。スプリングスタビライザー２１２ａおよび２１２ｂは、スプリングの位置を調整し、上側シリンダー１５０および下側シリンダー１６０の中に適切に配置し続ける。
【００２２】
電気接触１５６ａ、１５６ｂおよび１５６ｃは、上側シリンダー１５０の遠位側に埋め込まれ、上側シリンダー１５０の内側と外側とに突出している。電気接触１５６ａ、１５６ｂおよび１５６ｃは、乳児または小児のための適切な圧迫深さに対応する空間の分だけ隔てられている。これらの電気接触はまた、成人ＣＰＲのための適切な圧迫深さに対応する空間の分だけ隔てられ得る。電気接触スプリング２２０は、下側シリンダー１６０に切られた溝に位置しており、下側シリンダー１６０と上側シリンダー１５０との間の空間の中へと突出している。このスプリング２２０は、下側シリンダー１６０に、ネジ２２２およびナット２２４によって固定されている。ネジ２２２およびナット２２４はまた、コントローラ１８０から電気接触スプリング２２０までワイヤ２２６を固定する。
【００２３】
コントローラ１８０の断面はまた、図２に示される。このコントローラの内部には、スピーカー２３０、電子制御基板２３２、およびバッテリー２３４ａと２３４ｂとを備えるバッテリー区画２３３がある。このコントローラはまた、力を測定する。
【００２４】
図３は、代替の圧迫機構の斜視図である。図３と図１または図２との間の類似の番号は、類似の要素を示す。この代替において、上側シリンダー１５０および下側シリンダー１６０は、矩形または方形の形をした支柱と交換される。上側支柱３１０は、前側または上側胸部プレート１３０の後ろ側に取り付けられる。上側支柱３１０の右側および左側は、圧迫の間の換気のためにウィンドウ３１２ａおよび３１２ｂを備える。ウィンドウ３１２ａおよび３１２ｂは、下側支柱３２０から突出している、タブ３２２ａおよび３２２ｂ（示さず）と連結する。この下側支柱３２０は、背部プレート１７０の前側表面に取り付けられる。この接続は、圧迫の間の支柱の回転を妨げ、圧迫の間のガイドとして作用し、そして上側支柱３１０と下側支柱３２０との間の接続を維持し、このことによって、使用中に上側支柱と下側支柱とが分離しないようにされる。スプリング２１０は、圧迫に対するヒト胸部の抵抗をシミュレートするために使用され、このスプリングは、上側支柱３１０の前側に取り付けられていることが示され、下側支柱３２０の中に下向きに延びて、下側支柱３２０の後ろ側に取り付けられる。
【００２５】
背側または背部プレート１７０の後ろ側は、解剖学的目印を含む。この解剖学的目印は、気道からものを取り除く（ｃｌｅａｒ）ために背中を叩く適切な配置を探し当てるための、ヒト皮膚の下にある右肩胛骨３３０ａおよび左肩胛骨３３０ｂ、ならびに脊柱３３２の突出をシミュレートする。剣状突起１３４もまた、胸部プレート１３０の上に見える。
【００２６】
図４は、本発明に従う外部擬似呼吸機構を備える、テディベアのような形にされた非人型ハウジング１１０中のＣＰＲ訓練補助具１００である。フェースマスク１２０は、ヒトの鼻および口に似せた形にされている。このフェースマスクは、開口部１２２を備え、この開口部は、周囲の空気に対して開放されており、空気チューブ４１０につながっている。空気チューブ４１０は、擬似肺（示さず）につながり、使用者がフェースマスク１２０の中へと息を吹き込むことを可能にし、この擬似肺を、取り外し可能な胴衣（ｖｅｓｔ）４００に接するようにふくらませる。胸部を適切に圧迫させるための位置を識別するための目印は、心臓４２０によって胴衣４００上に示される。図４はまた、どのようにＬＥＤモジュール１９０が、ボウタイのように見えるように作製されて、本発明の審美的な外観の一助となるかを示す。
【００２７】
図５は、本発明に従う内部擬似呼吸機構を備える、テディベアのように形作った非人型ハウジング１１０中にあるＣＰＲ訓練補助具１００である。フェースマスク１２０は、ヒトの鼻および口を表すような形にされる。フェースマスク１２０は、空気チューブコネクタ１２４から持ち上げられ、離して示される。フェースマスク１２０の開口部１２２もまた示される。目印１４０は、テディベアの胸部の上に心臓のような形にされて示される。
【００２８】
図６を参照すると、本発明に従う、ＣＰＲ訓練補助具１１０の代替的実施形態１１２が斜視図で示される。代替的実施形態１１２は、擬似気道、圧迫フィードバック機構、および圧迫機構を備える。
【００２９】
この擬似気道は、開口部１２２および空気チューブ取付け具１２３を備える選択肢的な取り外し可能なフェースマスク１２０からなる。この開口部１２２は、周囲空気に対して開放されており、この空気チューブ取付け具１２３は、空気チューブコネクタ１２４に挿入される。フェースマスク１２０は、フェース錐体６１０に、空気チューブコネクタ１２４で取り付けられている。空気チュービング１２６は、空気チューブコネクタ１２４から下に、フェース錐体６１０を貫通して延び、フェース錐体を開口部６１２から出る。次いで、この空気チュービングは、首支持体（ｎｅｃｋ  ｓｕｐｐｏｒｔ）６１４に沿って平行に延び、擬似肺１２８に取り付けられる。擬似肺１２８は、中間プレート６６０と背側または背部プレート１７０との間に位置し、使い捨て可能であり得る。この擬似肺１２８は、ヒト肺に含まれる空気量に等しい空気量を保持するように計算されている。擬似肺１２８のサイズ、よってエアバッグに含まれる空気量は、乳児の肺、小児の肺、または成人の肺の中の空気量に近づくように変更され得る。
【００３０】
図６を参照すると、圧迫フィードバック機構は、環状カラー６２０（このカラーの後ろ側端部は、コネクタ６２２によって首支持体６１４に取り付けられる）、電子制御基板６２４、スピーカー６２６、ＬＥＤモジュール６３０（このモジュールは、環状カラー６２０の前側端部に取り付けられる）、ＬＥＤ６３２ａおよび６３２ｂ、ならびにレンズ６３４から構成される。ＬＥＤ６３２ａおよび６３２ｂは、集積回路基板６２４ならびに電気接触６４６ａおよび６４６ｂにワイヤ（示さず）によって取り付けられ得るが、他の実施形態は、このことをワイヤレス接続にすることができる。集積回路基板６２４は、マイクロプロセッサチップおよびスピーカーで置換され得、これらは、ＣＰＲ技術を練習するための音声プロンプト（ｖｏｉｃｅ  ｐｒｏｍｐｔ）または他の聴覚プロンプトを提供し得る。この集積回路基板６２４はまた、ワイヤ（示さず）によって電源に取り付けられる。レンズ６３４およびＬＥＤモジュール６３０は、好ましくは、非人型ハウジングを貫通して上に突出し、その結果、このレンズおよびモジュールは、ＣＰＲを練習している間に使用者によって認識され得る。
【００３１】
圧迫機構は、前側または上側胸部プレート１３０、中間プレート６６０、および背側または背部プレート１７０から構成される。首支持体６１４は、中間プレート６６０に接続され、このプレートは、胸部プレート１３０に向かって前側に突出している、５本の中実もしくは中空の丸形支柱、および背側または背部プレート１７０に向かって後ろ側に突出している、４本の中実もしくは中空の丸形支柱を有する。中間プレート６６０の４つの角の各々において、４本の前側支柱６５０ａ〜６５０ｄおよび４本の後ろ側支柱６５２ａ〜６５２ｄ（６５２ｂは示されていないとはいえ）が、ならびに中間プレート６６０上に１つの前側中心支柱６５０ｅがある。前側中心支柱６５０ｅは、スプリング（図２および３を参照のこと）を含み、ヒト胸部の圧迫に対する抵抗をシミュレートする。代わりとして、突出脚部のいずれかまたは全てが、中空であり得、抵抗のためのスプリングを備え得る。抵抗の量は、本発明を用いて練習されるＣＰＲ技術に依存して、乳児、小児、または成人の胸部について較正され得る。
【００３２】
中間プレート６６０に取り付けられた電気接触スプリング６５４が存在し、このスプリングは、中間プレート６６０への首支持体６１４の取り付け部と中心支柱６５０ｅとの間にある。この電気接触スプリング６５４は、集積回路基板６２４へと、ワイヤ（示さず）によって接続されるが、ワイヤレスにつなげられ得る。このスプリングは、前側または上側胸部プレート１３０に向かって上向きに曲がり、前側または上側胸部プレート１３０が圧迫されると、後ろ側支柱６４４ｅの上にある電気接触６４６ａおよび６４６ｂとつながることを意味する。あるいは、この電気接触スプリング６５４ならびに電気接触６４６ａおよび６４６ｂは、力センサのいずれの他の型と置換され得る。
【００３３】
背側または背部プレート１７０は、支柱６５２ａ〜６５２ｄ（６５２ｂは示さず）および前側支柱６６２ａ〜６６２ｄ（６６２ｂは示さず）で中間プレート６６０とつながる。支柱６５２ａ〜６５２ｄは、中間プレート６６０から下側にまたは後ろ側に突出する。前側支柱６６２ａ〜６６２ｄ（６６２ｂは示さず）は、背側または背部プレート１７０から上向きにまたは前側に突出する。後ろ側支柱６５２ａ〜６５２ｄおよび前側支柱６６２ａ〜６６２ｄは、安定した入れ子式支柱配置を形成する。これらの支柱が入れ子になっていることによって、前側または上側胸部プレート１３０が、間違った位置に圧迫されることが妨げられる。例えば、使用者が、乳首の隆起間の代わりに左乳首隆起６４２ｂの上を圧迫すると、入れ子式の脚部によって、前側または上側胸部プレート１３０が下に動くことが妨げられる。前側支柱６６２ａ〜６６２ｄは、後ろ側支柱６５２ａ〜６５２ｄより大きな直径を有し、その結果、後ろ側支柱６５２ａ〜６５２ｄは、前側支柱６６２ａ〜６６２ｄの中へと下向きにスライドされ得る。
【００３４】
背側または背部プレート１７０の後ろ側は、解剖学的目印を含み、この目印は、図３にも示されるように、気道からものを取り除くために背中を叩く適切な配置を探し当てるための、ヒトの皮膚の下の右肩胛骨および左肩胛骨、ならびに脊柱の突出をシミュレートする。
【００３５】
前側または上側胸部プレート１３０は、前側支柱６５０ａ〜６５０ｄおよび６５０ｅ（これらは、中間プレート６６０から上側または前側に突出する）および後ろ側支柱６４４ａ〜６４４ｄおよび６４４ｅ（これらは、前側または上側胸部プレート１３０から下側または後ろ側に突出する）で、中間プレート６６０とつながる。前側支柱６５０ａ〜６５０ｄおよび６５０ｅならびに後ろ側支柱６４４ａ〜６４４ｄおよび６４４ｅは、安定した入れ子式支柱配置を形成する。これらの支柱が入れ子になっていることによって、前側または上側胸部プレート１３０が、間違った位置に圧迫されることが妨げられる。後ろ側支柱６４４ａ〜６４４ｄおよび６４４ｅは、前側支柱６５０ａ〜６５０ｄおよび６５０ｅより大きな直径を有し、その結果、前側支柱６５０ａ〜６５０ｄおよび６５０ｅは、前側または上側胸部プレート１３０が圧迫されると、後ろ側支柱６４４ａ〜６４４ｄおよび６４４ｅの中へと上向きにスライドし得る。
【００３６】
中心後ろ側脚部６４４ｅはまた、２つの電気接触６４６ａおよび６４６ｂを有し、これらの電気接触は、乳児、小児、または成人のＣＰＲのための適切な圧迫深さに対応する空間の分だけ隔てられる。例えば、乳児ＣＰＲのためのＣＰＲ訓練補助具において、電気接触６４６ｂは、前側または上側胸部プレート１３０の下面から約１／２インチ下にあり、電気接触６４６ａは、前側または上側胸部プレート１３０の下面から約１インチ下にある。前側または上側胸部プレート１３０が約１／２インチ圧迫されると、電気接触スプリング６５４は、電気接触６４６ａと接触するようになり、使用者に、望ましい圧迫深さが達成されたという信号が与えられる。好ましい実施形態において、このことは、ＬＥＤモジュール６３０において点灯する緑色ＬＥＤ６３２ａであるが、任意の色のＬＥＤが使用され得るか、または望ましい圧迫深さに達したことを使用者に知らせるためのいくつかの他の型の信号が使用され得る。前側または上側胸部プレート１３０が約１インチ以上圧迫されると、電気接触スプリング６５４は、電気接触６４６ｂと接触するようになり、使用者に、望ましい圧迫深さを超えてしまったという信号が与えられる。好ましい実施形態において、このことは、ＬＥＤモジュール６３０において点灯する赤色ＬＥＤ６３２ｂであるが、任意の他のＬＥＤが使用されるか、または望ましい圧迫深さを超えてしまったということを使用者に知らせるためのいくつかの他の型の信号が使用される。さらに、他の電気接触が、本発明の一実施形態において、前側または上側胸部プレート１３０に取り付けられた中心後ろ側脚部６４４ｅに付加されて、乳児、小児、および成人のＣＰＲのための種々の圧迫深さを一緒に示し得る。ＬＥＤモジュール６３０はまた、与えられた圧迫回数を示す回数計測器を備え得、聴覚信号もしくは視覚信号、またはその両方が、いつ救命呼吸を与えるかを示し得る。
【００３７】
前側または上側胸部プレート１３０の前側は、実施されているＣＰＲの型（乳児、小児、または成人）に依存して、使用者が適切な配置に彼または彼女の手または指を置くように訓練するための種々の解剖学的目印を含む。胸骨柄切痕６４０は、前側または上側胸部プレート１３０の近位端部の上に位置する。胸骨柄切痕６４０の下には、右鎖骨隆起１３２ａおよび左鎖骨隆起６４２ａがある。鎖骨隆起の間には、鎖骨内切痕６４１がある。前側または上側胸部プレート１３０の長さに沿って、胸骨の溝６４３がある。前側または上側胸部プレート１３０の各側部には、右乳首隆起１３２ｂおよび左乳首隆起６４２ｂがある。前側または上側胸部プレート１３０の遠位端部において、剣状突起および切痕１３４がある。好ましい実施形態は、一材料片から前側または上側胸部プレート１３０を作製することであるが、より軟らかい材料が、解剖学的マーキングのために使用され得、より硬い材料が、前側または上側胸部プレート１３０の後ろ側入れ子式支柱にこの解剖学的マーキングを固定するために使用され得る。
【００３８】
上側胸部プレート１３０、中間胸部プレート６６０、および下側胸部プレート１７０、ならびにそれらの関連づけられた機構は、布地で周りを囲まれて、非人型ハウジング中の詰め物からこれらの機構が保護され得る。
【００３９】
図７は、本発明の代替的実施形態である。この実施形態は、胸部プレート１３０（４本の後ろ側支柱６４４ａ（示さず）、６４４ｂ、６４４ｃ、および６４４ｄを備える）、ならびに背部プレート１７０（４本の前側支柱６５０ａ（示さず）、６５０ｂ、６５０ｃ、および６５０ｄを備える）からなり、これらの前側支柱は、胸部プレートの４本の後ろ側支柱とつながって、安定した入れ子式支柱を形成する。胸部プレート１３０と背部プレート１７０との間の中央には、圧迫可能材料７１０があり、これは、ヒト胸部の圧迫に対する抵抗をシミュレートするために使用される。剣状切痕７００は、胸部プレート１３０の上に見られる。他の目印は、胸部プレート上に描かれてもよいし、隆起した模倣であってもよい。付加される装飾物に関しては、跳ね上げ式の腕７２２および７２４、足７２６、ならびに跳ね上げ式の頭部７２０が付加される。これらの跳ね上げ式の要素が、中心機構に向かって上向きに折りたたまれる場合、本発明全体が、保管のために小さくかさばらない箱へとはめ込まれ得る。上記のＣＰＲ訓練補助具１００の他の動作フィードバック機構はまた、図７に示される本発明に付加され得る。
【００４０】
（２．本発明の機能）
この訓練補助具における本発明は、ＣＰＲの学習者がおそらく、彼らの家（または職場）の目立つ場所にこの訓練補助具を置くに美的に十分に満足させることである。美的に満足させる訓練補助具を毎日見ている目立つ場所に置くと、ＣＰＲ技術のより長期の保持に寄与し、ＣＰＲ技術を家で練習する回数が増大し、ある人が犠牲者を成功裏に蘇生させ得るという確信の感覚が増大すると考えられる。
【００４１】
本発明において記載されるＣＰＲ訓練補助具１００は、全てのＣＰＲ講習に使用され得るが、特に、乳児／小児のＣＰＲ講習において使用され得る。このＣＰＲ指導者は、国により承認された基準および国際的に承認された基準に従って講習を行うが、各学習者は、彼ら自身のＣＰＲ訓練補助具１００を与えられて、彼らがこの技術を習っているときに、彼らが習った技術を練習する。本発明において記載されるＣＰＲ訓練補助具は、乳児の身体の中にも小児の身体の中にも収容されないが、救助呼吸、胸部圧迫、および背中を叩くかまたは腹部を強く押すかのいずれかによって気道からものを取り除くことを練習するために使用され得る。事実、非人型形状のハウジング１１０は、実際に、新米の親または心配性の親が彼ら自身の子供に似ているデバイスでＣＰＲを練習することをためらうことに備えて、あまり怖がらせることはないと考えられる。
【００４２】
ＣＰＲ訓練補助具１００を使用することの、他の安価な訓練用マニキンとは対照的な利点は、学習者が、自分の圧迫力および／または深さに対する即時のフィードバックを得ること、ならびにメトロノームを聞くことによって、その圧迫の適切なペーシングを達成し得ることである。その講習が終わると、その指導者は、学習者にＣＰＲ訓練補助具１００を家に持って帰らせ、そしてその補助具を、その学習者の家の目立つ場所に置き、その学習者が、習ったばかりの技術を思い出し、そしてそのＣＰＲ訓練補助具を規則的に取り出して、自分のＣＰＲ技術を練習するように指示する。ＣＰＲ訓練補助具１００はまた、自宅で、または職場で、ＣＰＲ指導ビデオと組み合わせて使用され得る。
【００４３】
ＣＰＲ訓練補助具１００は、実際の緊急事態に使用することを意図されないが、親がＣＰＲ訓練補助具１００を子供部屋に置いていて緊急事態が発生した場合に、この親は、ＣＰＲ訓練補助具１００をオンに切り替えて、ＣＰＲの段階を思い出し得、次いで、自分の子供に対する自分の実際の圧迫を、ＣＰＲ訓練補助具１００のメトロノームを使用してペーシングし得る。
【００４４】
ＣＰＲ訓練補助具１００は、任意の種類の非人型ハウジングに収容され得るが、本明細書の目的で、この補助具は、テディベアの形をとることがある。ＣＰＲ訓練補助具１００は、手のひらにある運動スイッチ（ｍｏｍｅｎｔａｒｙ  ｓｗｔｉｃｈ）１８４を押すことによって、オンに切り替えられ得る。乳児のＣＰＲ技術を実施するためには、使用者は、右手のひらを押す。これをオフに切り替えるためには、使用者は、この手のひらを再度押す。小児のＣＰＲ技術を実施するためには、使用者は、左手のひらを押す。これをオフに切り替えるためには、使用者は、この手のひらを再度押す。
【００４５】
電子制御基板２３２上のマイクロプロセッサチップによって提供される、音声のプロンプトが、選択されるモードに依存して、乳児または小児のいずれかのＣＰＲの工程を、その使用者に思い出させる。このプロンプトとしては、「大声を出しながら、赤ん坊の肩を優しく叩きましょう」、「顎を上げて赤ん坊の頭を傾け、この赤ん坊の口と鼻とをあなたの手で覆いながら、この赤ん坊に２回の小さい穏やかな呼吸を与えましょう」などのようなプロンプトが挙げられるが、これらに限定されない。ＣＰＲの工程を復習した後に、その使用者は、ＣＰＲの実施を開始することを促される。この使用者は、解剖学的目印を胸部プレート１３０で位置確認し、このプレートは、毛皮を通して感じられて、胸部圧迫のための胸部上での手または指の適切な配置を決定し得る。さらに、外部目印（例えば、赤いハート）が、この毛皮の外側に縫い付けられ、手または指の適切な配置を迅速に示し得る。促されると、この使用者は、音声プロンプトまたはメトロノームと調子を合わせて、このテディベアの胸部を圧迫し始める。この音声プロンプトは、与えられるべき圧迫の数を数え、次いで、この使用者に、救助呼吸を与えるように命じる。
【００４６】
胸部プレート１３０を下方に圧迫することによって、上部シリンダー１５０が、下部シリンダー１６０を越えて下方にスライドする。この使用者は、上部シリンダー１５０および可部シリンダー１６０の内部のスプリング２１０に起因して、人の胸部と類似の抵抗を感じる。スプリング２１０は、スプリング安定器２１２ａおよび２１２ｂに起因して、真下に圧縮される。圧迫の間の胸部プレート１３０および背部プレート１７０の回転は、保持ネジ１５４によって妨げられる。なぜなら、この保持ネジが、下部シリンダー１６０に彫られた整列ガイド１６４内を上下に移動するからである。手または指の配置が正しくない場合、この使用者は、この胸部プレートが滑らかに圧迫されない場合に、再調節されるように信号を与えられる。上部シリンダー１５０と下部シリンダー１６０との入れ子式の性質は、圧迫がこれらのシリンダーに対して中心を合わせられない限り、圧迫に抵抗する。
【００４７】
上部シリンダー１５０上の電気接触１５６ａ、１５６ｂ、および１５６ｃは、圧迫が優しすぎるか、激しすぎるか、ちょうど良いかを示すための、深さセンサとして働く。例えば、ＣＰＲ訓練補助具１００において、電気接触１５６ａは、前方または上側の胸部プレート１３０の下側から約１／２インチであり、電気接触１５６ｂは、前方または上側の胸部プレート１３０の下側から約１インチであり、そして電気接触１５６ｃは、前方または上側の胸部プレート１３０の下側から約１と１／２インチである。スイッチ８４を強く押すことによって、乳児のＣＰＲが開始され、そして前方または上側の胸部プレート１５０が約１／２インチ圧迫される場合、電気接触スプリング２２０は、電気接触１５６ｃと接触し、そしてその使用者は、乳児のＣＰＲのための所望の圧迫深さが達成されたという信号を与えられる。好ましい実施形態において、これは、ＬＥＤモジュール１９０における緑色ＬＥＤの点灯であるが、任意の色のＬＥＤ、または他の何らかの型の信号が、所望の圧迫深さが達成されたことを使用者に知らせるために、使用され得る。小児のＣＰＲが作動された場合、この圧迫深さにおいては、いずれの信号も、この使用者に与えられない。
【００４８】
前方または上側の胸部プレート１５０が約１インチ圧迫される場合、電気接触スプリング２２０は、電気接触１５６ｂと接触し、そしてその使用者は、乳児のＣＰＲのモードにある場合、所望の圧迫深さが超過されたという信号を与えられる。好ましい実施形態において、これは、ＬＥＤモジュール１９０における赤色ＬＥＤ１３６の点灯であるが、任意の色のＬＥＤ、または他の何らかの型の信号が、所望の圧迫深さが超過されたことを使用者に知らせるために、使用され得る。小児のＣＰＲのモードにある場合、この使用者は、所望の圧迫深さが達成されたという信号を与えられる。前方または上側の胸部プレート１５０が、約１と１／２インチ以上圧迫される場合、電気接触スプリング２２０は、電気接触１５６ａと接触し、そしてこの使用者は、乳児ＣＰＲモードと小児ＣＰＲモードとの両方に対する所望の圧迫深さが超過されたという信号を与えられる。
【００４９】
２本の指（乳児ＣＰＲについて）、または片手の手のひら（ｈｅｅｌ）（小児ＣＰＲについて）での５回の圧迫が促された後に、この使用者は、１回の救助呼吸を提供することを促される。この使用者は、このテディベアの口に吹き込む振りをし得るか、またはこの使用者は、任意のフェースマスク１２０を利用して、開口部１２２に吹き込み得る。取り外し可能なフェースマスク１２０の空気チューブ取り付け具１２３が、空気チューブ１２４の空気チューブコネクタ１２４に挿入される。この使用者の口が、フェースマスク１２０に当てられ、そして呼吸が与えられる。空気は、空気チューブ１２４に沿って移動し、そして擬似肺１２８を膨張させる。擬似肺１２８が膨張するにつれて、このテディベアの胸部が上昇して、救助呼吸が与えられる場合の小児の胸部の上昇をシミュレートする。フェースマスク１２０は、使用後に捨てられても、再使用のために清浄化されてもよい。さらに、擬似肺１２８は、非人型ハウジング１１０の開口部を通して取り出されて処分され得、そして同じ開口部を通して、清浄な擬似肺１２８で置き換えられ得る。
【００５０】
胸部の圧迫および救助呼吸を実施することに加えて、ＣＰＲ訓練補助具１００は、腹部を押すことまたは背中の叩打（ｂａｃｋ  ｂｌｏｗ）を使用して、遮断された気道の清浄化を練習するために使用され得る。前方または上側の胸部プレート１３０の遠位端は、触知可能な剣状突起１３４を有する。使用者は、前方または上側の胸部プレート１３０の遠位端および剣状突起１３４を、気道を清浄化するために腹部を押すことを適用するための適切な位置を確認するための目印として使用する。背側または背部プレート１７０の後ろ側は、左右の肩甲骨３３０ａおよび３３０ｂ、ならびに脊柱３３２をシミュレートする、解剖学的目印を含む。使用者は、これらの目印の位置を確認し、そしてこれらの肩甲骨の間を叩くことを適用して、気道を清浄化する練習をする。
【００５１】
（３．代替の実施形態の説明および操作）
ＣＰＲを実施する際に、乳児、小児、および成人に対して、異なる量の力、圧迫深さ、速度などが存在する。これらの理由により、図面は、この装置の可動部品および静止部品の正確な大きさまたは割合を示すとは理解されず、そして示される割合は、本発明のために重要とも必須ともみなされないことが、理解される。本発明を実施する機械は、種々の大きさおよび割合で作製され得、そして種々のＣＰＲ技術の練習のために適合されるように、異なる程度の抵抗または弾性を有する。
【００５２】
テディベアが、図１、図４、図５、および図６に図示されるが、テディベアは、適切であり得る唯一の型の非人型ハウジングではない。他の選択肢としては、ウサギ、サル、またはイヌが挙げられる。さらに、内部の機構はまた、家庭に目立つように置かれ得る無生物物体（例えば、投げ枕）内に配置され得る。
【００５３】
ＣＰＲ訓練補助具１００は、テディベアの手のひらにある運動スイッチ８４によって、オンに切り替えられる。スイッチ８４が非人型ハウジング１１０の手のひらに配置される代わりに、このスイッチは、非人型ハウジング１１０の足、または首の後ろに配置され得る。運動スイッチの代わりに、スライダーまたは他の型のスイッチが、使用され得る。
【００５４】
音声プロンプトの代わりに、ＣＰＲ訓練補助具１００は、使用者に圧迫ペーシングを提供するために、単純なメトロノームおよびスピーカーを、電気制御基板２３２上に有し得る。このメトロノームは、乳児、小児、または成人のＣＰＲに対して、アメリカ心臓協会のガイドラインを固守するように、較正され得る。ＣＰＲの工程は、非人型ハウジング１１０上のどこか（例えば、テディベアのボウタイ、または非人型ハウジング１１０の外側に縫い付けられたパッチ）に、印刷され得る。
【００５５】
胸部プレート１３０および背部プレート１７０さらなる目印は、本発明にとって必須ではない。代替例において、外部の目印（図５に示されるような赤色のハートが挙げられるが、これらに限定されない）が、非人型ハウジングの外側に縫い付けられるかまたは付着されて、手または指の適切な配置のための位置を迅速に示し得る。
【００５６】
ＣＰＲ訓練補助具１００における入れ子式支柱は、誤った位置で与えられる圧迫に抵抗することによって、胸部での手または指の不適切な配置を防止するが、同じ効果を達成する別の実施形態は、前方または上側の胸部プレート１３０の中心、および乳首の上昇部１３２ｂと６４２ｂとの間に穴を空け、そしてこの穴を、柔軟な可撓性材料で覆うことである。前方支柱６５０ａ〜６５０ｄ、および後方支柱６４４ａ〜６４４ｄは、各々、等しい長さであり、そして移動不可能である。しかし、後方支柱６４４ｅは、前方支柱６５０ｅより短く、そして前方または上側の胸部プレート１３０の柔軟な中心部分が圧迫される際に、前方支柱６５０ｅに沿ってスライド可能である。使用者が、誤った位置（例えば、左の乳首の上昇部）を圧迫する場合、前方または上側の胸部プレート１３０は、移動しない。さらに、使用者が胸部を正しい位置で圧迫しているか誤った位置で圧迫しているかを示す、視覚的信号または聴覚的信号が、本発明の実施形態のいずれかにおいて、提供され得る。
【００５７】
ＣＰＲ訓練補助具１００の圧迫機構は、上部シリンダーおよび下部シリンダーを有するように記載されるが、代替の実施形態は、図３に示されるような、上部および下部の、正方形または矩形の箱である。この入れ子式の箱は、図１における入れ子式のシリンダーと同じ様式で機能するが、保持ネジ５４および整列ガイド１６４が、上部プレート１３０と下部プレート１７０との回転を防止する代わりに、同じ機能が、ウィンドウ３１２ａおよび３１２ｂ、ならびに下部支柱３２０から突出するタブ３２２ａおよび３２２ｂ（図示せず）によって、果たされる。上部支柱３１０の右側および左側のウィンドウ３１２ａおよび３１２ｂはまた、圧迫の間、空気を排気する。圧迫機構の別の実施形態が、図６に示されており、そして類似のシリンダーの形状の、複数の入れ子式支柱を備える。用語「支柱」は、任意の形状（例えば、円筒形、正方形、矩形など）の支柱をいい得ることが、当業者によって理解されるべきである。ＣＰＲ訓練補助具１００について記載される圧迫機構は、上部プレート１３０の圧迫に対する抵抗のための、スプリング２１０を備える。抵抗は、他のデバイス（例えば、図７に示されるような、不連続気泡発泡体スプリング（ｃｌｏｓｅｄ  ｃｅｌｌ  ｆｏａｍ  ｓｐｒｉｎｇ））によってもまた同様に提供され得る。さらに、この抵抗デバイスは、独立していても、１つの中心支柱に位置しても、複数の支柱に位置してもよい。
【００５８】
ＣＰＲ訓練補助具１００は、上部シリンダー１５０の遠位部分の内側に包埋された、３つの電気接触１５６ａ、１５６ｂ、および１５６ｃを備えて記載される。これらの電気接触は、胸部プレート１３０が圧迫される際に、電気接触スプリング２２０と接触する。この実施形態において、乳児ＣＰＲと小児ＣＰＲとの両方の圧迫深さが、感知され得、そして示され得る。しかし、この実施形態は、乳児ＣＰＲのみ、小児ＣＰＲのみ、成人ＣＰＲのみ、またはこれらの３つの任意の組み合わせについての圧迫深さを示すように適合され得る。深さセンサについての別の実施形態が、図６に示される。この配置は、１つの型のみのＣＰＲ（乳児、小児、または成人）に対してのみの、圧迫感知およびフィードバックを提供するための適合を示す。中心位置決め足６４４ｅは、２つの電気接触６４６ａおよび６４６ｂを有し、これらの電気接触は、この足の外側を囲み、そしてこれらの接点は、乳児ＣＰＲ、小児ＣＰＲ、または成人ＣＰＲのための適切な圧迫深さに対応する空間によって、隔てられる。胸部プレート１３０が圧迫される場合、電気接触スプリング６５４が、電気接触６４６ａおよび６４６ｂと接触し、そして使用者は、所望の圧迫深さが達成されたこと、または超過されたことの信号を与えられる。図面に示される圧迫センサの各々は、圧迫深さを測定するが、代替の実施形態は、圧迫力を測定するための力センサを備え得る。図６にはまた、ＬＥＤモジュール６３０、電気制御基板６２４、および電気制御基板６２４に取り付けられたスピーカー６２２が示される。この配置は、非人型ハウジング１１０の首領域における、さらなる安定性を提供し得る。ＬＥＤモジュール６３０はまた、ＬＥＤ６３２ａおよび６３２ｂを覆う、別体のレンズ６３４を有した。
【００５９】
代替の実施形態において、ＬＥＤモジュール１９０または６３０はまた、与えられる圧迫の数を表示する、数字カウンターを備え得る。ＬＥＤモジュール１９０または６３０は、単一のＬＥＤを備え得るか、複数のＬＥＤを備え得るか、与えられる圧迫の数を数える整数を示す機構を備え得るか、またはこれらの任意の組み合わせを備え得る。さらに、聴覚的信号または視覚的信号、あるいはこれらの両方が、救助呼吸を与える時点がいつであるかを示し得る。
【００６０】
擬似気道が、本発明のために記載されるが、これは、本発明の必須の構成要素ではない。擬似気道は、本発明の実施形態から除外され得、そして使用者は、救助呼吸を与えるように促される場合、単に、救助呼吸を与える振りをし得る。図１に示される気道の代替の実施形態が、図６に示される。この実施形態は、ノーズコーン６１０、および背部プレート１７０と中央プレート６６０との間の擬似肺１２８を備える。上部プレート１３０が圧迫されるにつれて、擬似肺１２８の中の全ての空気が、擬似肺１２８から圧迫され、空気チューブ１２６に達し、そして開口部１２２から出る。取り外し可能なフェースマスク１２０の代替の実施形態は、このフェースマスクを糸に取り付け、次いで、この糸を、非人型ハウジング１１０の表面または内部のどこかのポケットに縫い付けることである。使用されない場合、取り外し可能なフェースマスク１２０は、このポケット内に格納され得る。取り外し可能なフェースマスク１２０をこのポケットに取り付けるための糸は、取り外し可能なフェースマスク１２０が、空気チューブコネクタ１２４に取り付けられていない場合に、紛失されたり誤配置されたりしないことを確実にする。これらの糸およびポケットは、本発明の必須の部品ではない。擬似気道の別の実施形態が、図４に記載される。この実施形態において、この気道は、非人型ハウジングの外側にある。空気チューブ４１０は、フェースマスク１２０および擬似肺（図示せず）に接続される。この擬似肺は、取り外し可能な胴衣４００の下方に位置し、そして呼吸が与えられると、この胴衣を上昇させ、救助呼吸の間の人の胸部の上昇をシミュレートする。この実施形態は、使い捨ての擬似肺の最も簡単な取り外しおよび交換を提供し、そしてまた、胴衣４００なしで機能し得る。図４のさらなる実施形態において、空気チューブ４１０は、適切な量の空気が開口部１２２に吹き込まれたときの指標を備える肺活量計によって模倣される、肺に接続され得る。
【００６１】
図７は、非人型ハウジングに収容されない、本発明の代替の実施形態を教示する。この実施形態は、独特の入れ子式支柱６４４ａ〜６４４ｄ、および６５０ａ〜６５０ｄ、ならびに上部プレート１３０と下部プレート１７０との間で中心に位置する不連続気泡スプリングからなる。本発明の全体が、格納のための小さい小形の箱の中で輸送されることを可能にする目的で、跳ね上げ式の腕７２２および７２４、足７２６、ならびに跳ね上げ式の頭７２０が取り付けられる。上記ＣＰＲ訓練補助具１００の他の性能フィードバック機構もまた、本発明のこの実施形態に加えられ得る。
【産業上の利用可能性】
【００６２】
本発明は、ＣＰＲ訓練の分野において使用することが意図される。このデバイスの、例えば、本発明の１つの局面を有する基本モデル、本発明の全ての局面を有する豪華モデル、および本発明の全てではないがいくつかの局面の組み合わせを有する中間モデルが挙げられる、種々の市販の実施形態が作製され得る。梱包、付属品、および製造材料は、特定の使用者群の要求に合うように、変更され得る。
【００６３】
従って、読者は、本発明およびその全ての代替の実施形態が、安価な、美的に好ましいＣＰＲ訓練デバイスを提供することを理解する。このデバイスは、その脅迫的ではない非人型ハウジングに起因して、代表的なＣＰＲマニキンほど恐ろしくない。従来技術における他の安価な訓練補助具より優れた他の利点としては、ＣＰＲ性能に対する即時のフィードバック、ＣＰＲの工程を使用者に思い出させるための視覚的プロンプトおよび／または聴覚的プロンプト、適切な手／指の配置に対する促しおよびフィードバック、呼吸の間の視覚的な胸部の上昇を伴う、救助呼吸の現実的な練習、ならびに乳児ＣＰＲ、小児ＣＰＲ、または成人ＣＰＲ、あるいはこれらのいくつかまたは全ての組み合わせの訓練または練習に対する適合性が挙げられる。
【００６４】
まとめとして、本明細書中に記載され、そして図面に示された、ＣＰＲ訓練デバイスは、本発明の現在好ましい実施形態のみを代表することが理解される。実際に、種々の改変および追加が、本発明の精神および範囲から逸脱することなく、このような実施形態に対してなされ得る。従って、本発明の範囲は、上記実施形態に限定されるべきではない。変化が、本発明の範囲内で可能であり、そして任意の請求項に記載される各要素または工程が、全ての均等な要素または工程をいうと理解されることが、理解される。特許請求の範囲は、利用され得る形態のいずれにおいても、法律的に可能な限り広く、本発明を包含することが意図される。本発明の範囲は、添付の特許請求の範囲によって、規定されるべきである。
【図面の簡単な説明】
【００６５】
【図１】図１は、本発明に従う非人型ＣＰＲ訓練補助具の内部機構の斜視図である。
【図２】図２は、図１のＣＰＲ訓練補助具の圧迫機構およびコントローラの断面図である。
【図３】図３は、代替的な圧迫機構の斜視図である。
【図４】図４は、本発明に従う外部擬似呼吸機構を備える、テディベアハウジング型の非人型ＣＰＲ訓練補助具である。
【図５】図５は、本発明に従う内部擬似呼吸機構を備える、テディベアハウジング型の非人型ＣＰＲ訓練補助具である。
【図６】図６は、本発明に従う非人型ＣＰＲ訓練補助具の代替的な機構の斜視図である。
【図７】図７は、持ち運びまたは収納のためにコンパクトに折り畳まれ得る、本発明の代替的な実施形態の斜視図である。
【図１】
2007505360.tif 000003
【図２】
2007505360.tif 000004
【図３】
2007505360.tif 000005
【図４】
2007505360.tif 000006
【図５】
2007505360.tif 000007
【図６】
2007505360.tif 000008
【図７】
2007505360.tif 000009
【国際調査報告】
2007505360.tif 000010
2007505360.tif 000011
2007505360.tif 000012